(57)【要約】【課題】環境や設定温度等の条件に応じて所望の空調性能を発揮することができる最適な運転モードを選択して切り換えることが可能な車両用空気調和装置を提供する。【解決手段】コントローラは少なくとも暖房モードと、除湿暖房モードと、除湿冷房モードと、冷房モードとを切り換えて実行する。除湿暖房モードにおいて、吸熱器９における吸熱が不足すること、又は、放熱器４における放熱が過剰となることに基づいて除湿冷房モードに移行すると共に、この除湿冷房モードにおいて、放熱器４における放熱が不足することに基づいて除湿暖房モードに移行する。【選択図】図１
2014094671.tif 000002
【特許請求の範囲】
【請求項１】
冷媒を圧縮する圧縮機と、
車室内に供給する空気が流通する空気流通路と、
該空気流通路に設けられて冷媒を放熱させる放熱器と、
前記空気流通路に設けられて冷媒を吸熱させる吸熱器と、
前記車室外に設けられて冷媒を放熱又は吸熱させる室外熱交換器と、
制御手段とを備え、
該制御手段により少なくとも、
前記圧縮機から吐出された冷媒を前記放熱器にて放熱させ、放熱した当該冷媒を減圧した後、前記室外熱交換器にて吸熱させる暖房モードと、
前記圧縮機から吐出された冷媒を前記放熱器にて放熱させ、放熱した当該冷媒を減圧した後、前記吸熱器のみ、又は、該吸熱器と前記室外熱交換器にて吸熱させる除湿暖房モードと、
前記圧縮機から吐出された冷媒を前記放熱器及び室外熱交換器にて放熱させ、放熱した当該冷媒を減圧した後、前記吸熱器にて吸熱させる除湿冷房モードと、
前記圧縮機から吐出された冷媒を前記室外熱交換器にて放熱させ、放熱した当該冷媒を減圧した後、前記吸熱器にて吸熱させる冷房モードとを切り換えて実行する車両用空気調和装置において、
前記制御手段は、前記除湿暖房モードにおいて、前記吸熱器における吸熱が不足すること、又は、前記放熱器における放熱が過剰となることに基づいて前記除湿冷房モードに移行すると共に、
該除湿冷房モードにおいて、前記放熱器における放熱が不足することに基づいて前記除湿暖房モードに移行することを特徴とする車両用空気調和装置。
【請求項２】
前記制御手段は、前記除湿暖房モードにおいて、前記室外熱交換器への冷媒の流入を阻止し、前記吸熱器のみにて冷媒を吸熱させる内部サイクルモードを有し、
前記除湿暖房モードにおいて、前記吸熱器における吸熱が不足すること、又は、前記放熱器における放熱が過剰となることに基づいて前記内部サイクルモードに移行すると共に、
該内部サイクルモードにおいて、更に前記吸熱器における吸熱が不足すること、又は、更に前記放熱器における放熱が過剰となることに基づいて前記除湿冷房モードに移行することを特徴とする請求項１に記載の車両用空気調和装置。
【請求項３】
前記制御手段は、前記除湿冷房モードにおいて、前記放熱器における放熱が不足することに基づいて前記内部サイクルモードに移行すると共に、
該内部サイクルモードにおいて、前記放熱器における放熱が不足すること、又は、前記吸熱器における吸熱が過剰となることに基づいて前記除湿暖房モードに移行することを特徴とする請求項２に記載の車両用空気調和装置。
【請求項４】
前記制御手段は、外気温度及び外気湿度が上昇したことに基づいて前記暖房モードから前記除湿暖房モード、若しくは、除湿冷房モードに移行し、外気温度及び外気湿度が低下したことに基づいて前記除湿暖房モード、及び、除湿冷房モードから前記暖房モードに移行することを特徴とする請求項１乃至請求項３のうちの何れかに記載の車両用空気調和装置。
【請求項５】
前記制御手段は、前記暖房モードから前記除湿暖房モードに移行する条件よりも高い温度に前記外気温度が上昇したことを基づき、前記暖房モードから前記除湿冷房モードに移行することを特徴とする請求項４に記載の車両用空気調和装置。
【請求項６】
前記室外熱交換器に流入する冷媒を減圧させる膨張弁を備え、
前記制御手段は、前記膨張弁の弁開度が制御上限となったことに基づいて前記除湿冷房モードから前記冷房モードに移行し、前記放熱器における放熱が不足することに基づいて前記冷房モードから前記除湿冷房モードに移行することを特徴とする請求項１乃至請求項５のうちの何れかに記載の車両用空気調和装置。
【請求項７】
前記空気流通路に外気を導入する外気導入モードと前記空気流通路に車室内の空気を導入する内気循環モードとを切り換える吸込切換ダンパを備え、
前記制御手段は、起動時に前記暖房モード、又は、除湿暖房モードを実行する際、少なくとも外気温度が車室内温度より高い場合、又は、少なくとも車室内湿度が外気湿度より高い場合、前記吸込切換ダンパにより前記外気導入モードとし、少なくとも車室内温度が外気温度より高い場合、又は、少なくとも外気湿度が車室内湿度より高い場合、前記内気循環モードとすることを特徴とする請求項１乃至請求項６のうちの何れかに記載の車両用空気調和装置。
【請求項８】
前記空気流通路に外気を導入する外気導入モードと前記空気流通路に車室内の空気を導入する内気循環モードとを切り換える吸込切換ダンパを備え、
前記制御手段は、起動時に前記冷房モード、又は、除湿冷房モードを実行する際、少なくとも外気温度が車室内温度より高い場合、又は、少なくとも外気湿度が車室内湿度より高い場合、前記吸込切換ダンパにより前記内気循環モードとし、少なくとも車室内温度が外気温度より高い場合、又は、少なくとも車室内湿度が外気湿度より高い場合、前記外気導入モードとすることを特徴とする請求項１乃至請求項７のうちの何れかに記載の車両用空気調和装置。
【請求項９】
前記制御手段は、起動後の安定時においては、前記車室内の二酸化炭素濃度が高い場合、又は、前記内気循環モードが所定時間以上継続された場合、又は、前記車室内湿度が外気湿度より高い場合、又は、車室内に吹き出される温度の目標値が外気温度と同一若しくはそれに近い場合、前記吸込切換ダンパにより前記外気導入モードとし、それら以外の条件では前記内気循環モードとすることを特徴とする請求項７又は請求項８に記載の車両用空気調和装置。
【発明の詳細な説明】
【技術分野】
【０００１】
本発明は、車両の車室内を空調するヒートポンプ方式の空気調和装置、特にハイブリッド自動車や電気自動車に適用可能な空気調和装置に関するものである。
【背景技術】
【０００２】
近年の環境問題の顕在化から、ハイブリッド自動車や電気自動車が普及するに至っている。そして、このような車両に適用することができる空気調和装置として、冷媒を圧縮して吐出する圧縮機と、車室内側に設けられて冷媒を放熱させる放熱器と、車室内側に設けられて冷媒を吸熱させる吸熱器と、車室外側に設けられて冷媒を放熱又は吸熱させる室外熱交換器を備え、圧縮機から吐出された冷媒を放熱器において放熱させ、この放熱器において放熱した冷媒を室外熱交換器において吸熱させる暖房運転と、圧縮機から吐出された冷媒を放熱器において放熱させ、放熱器において放熱した冷媒を吸熱器のみ、又は、この吸熱器と室外熱交換器において吸熱させる除湿暖房運転と、圧縮機から吐出された冷媒を室外熱交換器において放熱させ、吸熱器において吸熱させる冷房運転と、圧縮機から吐出された冷媒を放熱器及び室外熱交換器において放熱させ、吸熱器において吸熱させる除湿冷房運転とを切り換え可能としたものが開発されている（例えば、特許文献１参照）。
【先行技術文献】
【特許文献】
【０００３】
【特許文献１】特開２０１２−１７６６５９号公報
【発明の概要】
【発明が解決しようとする課題】
【０００４】
前記従来の車両用空気調和装置は、そのときの外気温度Ｔａｍと目標吹出温度ＴＡＯ（室内に吹き出される空気の温度の目標値）の組み合わせから上記暖房運転、除湿暖房運転、冷房運転、及び、除湿冷房運転の各モードを選択して切り換えていた。
【０００５】
ここで、車両の環境や設定温度等の条件により、空気調和装置には最適な運転モードが存在するが、従来のようなモード切換制御では、必ずしも最適な運転モードが選択されない問題があった。そして、適さない運転モードが選択された場合、所望の空調性能を発揮させることができず、快適な車室内空調を実現することができなくなる。
【０００６】
本発明は、係る従来の技術的課題を解決するために成されたものであり、環境や設定温度等の条件に応じて所望の空調性能を発揮することができる最適な運転モードを選択して切り換えることが可能な車両用空気調和装置を提供することを目的とする。
【課題を解決するための手段】
【０００７】
本発明の車両用空気調和装置は、冷媒を圧縮する圧縮機と、車室内に供給する空気が流通する空気流通路と、この空気流通路に設けられて冷媒を放熱させる放熱器と、空気流通路に設けられて冷媒を吸熱させる吸熱器と、車室外に設けられて冷媒を放熱又は吸熱させる室外熱交換器と、制御手段とを備え、この制御手段により少なくとも、圧縮機から吐出された冷媒を放熱器にて放熱させ、放熱した当該冷媒を減圧した後、室外熱交換器にて吸熱させる暖房モードと、圧縮機から吐出された冷媒を放熱器にて放熱させ、放熱した当該冷媒を減圧した後、吸熱器のみ、又は、当該吸熱器と室外熱交換器にて吸熱させる除湿暖房モードと、圧縮機から吐出された冷媒を放熱器及び室外熱交換器にて放熱させ、放熱した当該冷媒を減圧した後、吸熱器にて吸熱させる除湿冷房モードと、圧縮機から吐出された冷媒を室外熱交換器にて放熱させ、放熱した当該冷媒を減圧した後、吸熱器にて吸熱させる冷房モードとを切り換えて実行するものであって、制御手段は、除湿暖房モードにおいて、吸熱器における吸熱が不足すること、又は、放熱器における放熱が過剰となることに基づいて除湿冷房モードに移行すると共に、この除湿冷房モードにおいて、放熱器における放熱が不足することに基づいて除湿暖房モードに移行することを特徴とする。
【０００８】
請求項２の発明の車両用空気調和装置は、上記発明において制御手段は、除湿暖房モードにおいて、室外熱交換器への冷媒の流入を阻止し、吸熱器のみにて冷媒を吸熱させる内部サイクルモードを有し、除湿暖房モードにおいて、吸熱器における吸熱が不足すること、又は、放熱器における放熱が過剰となることに基づいて内部サイクルモードに移行すると共に、この内部サイクルモードにおいて、更に吸熱器における吸熱が不足すること、又は、更に放熱器における放熱が過剰となることに基づいて除湿冷房モードに移行することを特徴とする。
【０００９】
請求項３の発明の車両用空気調和装置は、上記発明において制御手段は、除湿冷房モードにおいて、放熱器における放熱が不足することに基づいて内部サイクルモードに移行すると共に、この内部サイクルモードにおいて、放熱器における放熱が不足すること、又は、吸熱器における吸熱が過剰となることに基づいて除湿暖房モードに移行することを特徴とする。
【００１０】
請求項４の発明の車両用空気調和装置は、上記各発明において制御手段は、外気温度及び外気湿度が上昇したことに基づいて暖房モードから除湿暖房モード、若しくは、除湿冷房モードに移行し、外気温度及び外気湿度が低下したことに基づいて除湿暖房モード、及び、除湿冷房モードから暖房モードに移行することを特徴とする。
【００１１】
請求項５の発明の車両用空気調和装置は、上記発明において制御手段は、暖房モードから除湿暖房モードに移行する条件よりも高い温度に外気温度が上昇したことを基づき、暖房モードから除湿冷房モードに移行することを特徴とする。
【００１２】
請求項６の発明の車両用空気調和装置は、上記各発明において室外熱交換器に流入する冷媒を減圧させる膨張弁を備え、制御手段は、膨張弁の弁開度が制御上限となったことに基づいて除湿冷房モードから冷房モードに移行し、放熱器における放熱が不足することに基づいて冷房モードから除湿冷房モードに移行することを特徴とする。
【００１３】
請求項７の発明の車両用空気調和装置は、上記各発明において空気流通路に外気を導入する外気導入モードと空気流通路に車室内の空気を導入する内気循環モードとを切り換える吸込切換ダンパを備え、制御手段は、起動時に暖房モード、又は、除湿暖房モードを実行する際、少なくとも外気温度が車室内温度より高い場合、又は、少なくとも車室内湿度が外気湿度より高い場合、吸込切換ダンパにより外気導入モードとし、少なくとも車室内温度が外気温度より高い場合、又は、少なくとも外気湿度が車室内湿度より高い場合、内気循環モードとすることを特徴とする。
【００１４】
請求項８の発明の車両用空気調和装置は、上記各発明において空気流通路に外気を導入する外気導入モードと空気流通路に車室内の空気を導入する内気循環モードとを切り換える吸込切換ダンパを備え、制御手段は、起動時に冷房モード、又は、除湿冷房モードを実行する際、少なくとも外気温度が車室内温度より高い場合、又は、少なくとも外気湿度が車室内湿度より高い場合、吸込切換ダンパにより内気循環モードとし、少なくとも車室内温度が外気温度より高い場合、又は、少なくとも車室内湿度が外気湿度より高い場合、外気導入モードとすることを特徴とする。
【００１５】
請求項９の発明の車両用空気調和装置は、請求項７又は請求項８の発明において制御手段は、起動後の安定時においては、車室内の二酸化炭素濃度が高い場合、又は、内気循環モードが所定時間以上継続された場合、又は、車室内湿度が外気湿度より高い場合、又は、車室内に吹き出される温度の目標値が外気温度と同一若しくはそれに近い場合、吸込切換ダンパにより外気導入モードとし、それら以外の条件では内気循環モードとすることを特徴とする。
【発明の効果】
【００１６】
本発明によれば、冷媒を圧縮する圧縮機と、車室内に供給する空気が流通する空気流通路と、この空気流通路に設けられて冷媒を放熱させる放熱器と、空気流通路に設けられて冷媒を吸熱させる吸熱器と、車室外に設けられて冷媒を放熱又は吸熱させる室外熱交換器と、制御手段とを備え、この制御手段により少なくとも、圧縮機から吐出された冷媒を放熱器にて放熱させ、放熱した当該冷媒を減圧した後、室外熱交換器にて吸熱させる暖房モードと、圧縮機から吐出された冷媒を放熱器にて放熱させ、放熱した当該冷媒を減圧した後、吸熱器のみ、又は、当該吸熱器と室外熱交換器にて吸熱させる除湿暖房モードと、圧縮機から吐出された冷媒を放熱器及び室外熱交換器にて放熱させ、放熱した当該冷媒を減圧した後、吸熱器にて吸熱させる除湿冷房モードと、圧縮機から吐出された冷媒を室外熱交換器にて放熱させ、放熱した当該冷媒を減圧した後、吸熱器にて吸熱させる冷房モードとを切り換えて実行する車両用空気調和装置において、制御手段が、除湿暖房モードにおいて、吸熱器における吸熱が不足すること、又は、放熱器における放熱が過剰となることに基づいて除湿冷房モードに移行すると共に、この除湿冷房モードにおいて、放熱器における放熱が不足することに基づいて除湿暖房モードに移行するようにしたので、車両の環境や設定温度等の条件によって放熱器における放熱や吸熱器における吸熱が不足し、或いは、過剰となる状況に応じて、除湿暖房モードと除湿冷房モードの間で的確な運転モードの切り換えを行うことが可能となる。
【００１７】
また、請求項２の発明によれば、上記発明に加えて制御手段が、除湿暖房モードにおいて、室外熱交換器への冷媒の流入を阻止し、吸熱器のみにて冷媒を吸熱させる内部サイクルモードを有するときに、除湿暖房モードにおいて、吸熱器における吸熱が不足すること、又は、放熱器における放熱が過剰となることに基づいて内部サイクルモードに移行すると共に、この内部サイクルモードにおいて、更に吸熱器における吸熱が不足すること、又は、更に放熱器における放熱が過剰となることに基づいて除湿冷房モードに移行するようにしたので、吸熱器における吸熱や放熱器における放熱の状況に応じて除湿暖房モードから内部サイクルモードへ、更に、内部サイクルモードから除湿冷房モードへの運転モードの切り換えを的確に行うことが可能となる。
【００１８】
また、請求項３の発明によれば、上記発明に加えて制御手段が、除湿冷房モードにおいて、放熱器における放熱が不足することに基づいて内部サイクルモードに移行すると共に、この内部サイクルモードにおいて、放熱器における放熱が不足すること、又は、吸熱器における吸熱が過剰となることに基づいて除湿暖房モードに移行するようにしたので、放熱器における放熱や吸熱器における吸熱の状況に応じて除湿冷房モードから内部サイクルモードへ、更に、内部サイクルモードから除湿暖房モードへの運転モードの切り換えを的確に行うことが可能となる。
【００１９】
また、請求項４の発明によれば、上記各発明に加えて制御手段が、外気温度及び外気湿度が上昇したことに基づいて暖房モードから除湿暖房モード、若しくは、除湿冷房モードに移行し、外気温度及び外気湿度が低下したことに基づいて除湿暖房モード、及び、除湿冷房モードから暖房モードに移行するようにしたので、外気環境に応じて暖房モード、除湿暖房モード、及び、除湿冷房モード間の運転モードの切り換えを的確に行うことが可能となる。
【００２０】
また、請求項５の発明によれば、上記発明に加えて制御手段が、暖房モードから除湿暖房モードに移行する条件よりも高い温度に外気温度が上昇したことを基づき、暖房モードから除湿冷房モードに移行するようにしたので、外気環境が更に温度上昇する状況では暖房モードから直接除湿冷房モードに移行することができるようになる。
【００２１】
また、請求項６の発明によれば、上記各発明に加えて室外熱交換器に流入する冷媒を減圧させる膨張弁を備え、制御手段が、膨張弁の弁開度が制御上限となったことに基づいて除湿冷房モードから冷房モードに移行し、放熱器における放熱が不足することに基づいて冷房モードから除湿冷房モードに移行するようにしたので、膨張弁の制御状況や放熱器の放熱の状況に応じて冷房モードと除湿冷房モードの間の運転モードの切り換えを的確に行うことが可能となる。
【００２２】
また、請求項７の発明によれば、上記各発明に加えて空気流通路に外気を導入する外気導入モードと空気流通路に車室内の空気を導入する内気循環モードとを切り換える吸込切換ダンパを備え、制御手段が、起動時に暖房モード、又は、除湿暖房モードを実行する際、少なくとも外気温度が車室内温度より高い場合、又は、少なくとも車室内湿度が外気湿度より高い場合、吸込切換ダンパにより外気導入モードとし、少なくとも車室内温度が外気温度より高い場合、又は、少なくとも外気湿度が車室内湿度より高い場合、内気循環モードとするようにしたので、起動時に暖房モードや除湿暖房モードを実行する際、外気環境に応じて外気導入モードと内気循環モードを的確に切り換え、外気中の熱を車室内の暖房に有効に利用することができるようになる。
【００２３】
また、請求項８の発明によれば、上記各発明に加えて空気流通路に外気を導入する外気導入モードと空気流通路に車室内の空気を導入する内気循環モードとを切り換える吸込切換ダンパを備え、制御手段が、起動時に冷房モード、又は、除湿冷房モードを実行する際、少なくとも外気温度が車室内温度より高い場合、又は、少なくとも外気湿度が車室内湿度より高い場合、吸込切換ダンパにより内気循環モードとし、少なくとも車室内温度が外気温度より高い場合、又は、少なくとも車室内湿度が外気湿度より高い場合、外気導入モードとするようにしたので、起動時に冷房モードや除湿冷房モードを実行する際、外気環境に応じて外気導入モードと内気循環モードを的確に切り換え、外気中の熱による車室内冷房への悪影響を解消し、或いは、外気中の冷熱を車室内の冷房に有効に利用することができるようになる。
【００２４】
この場合、請求項９の発明の如く制御手段が、起動後の安定時においては、車室内の二酸化炭素濃度が高い場合、又は、内気循環モードが所定時間以上継続された場合、又は、車室内湿度が外気湿度より高い場合、又は、車室内に吹き出される温度の目標値が外気温度と同一若しくはそれに近い場合、吸込切換ダンパにより外気導入モードとし、それら以外の条件では内気循環モードとすることにより、安定時における車室内の二酸化炭素濃度や目標吹出温度に応じても外気導入モードと内気循環モードを的確に切り換えることが可能となる。
【００２５】
以上により本発明の車両用空気調和装置によれば、車両の環境や設定温度等の条件に応じて所望の空調性能を発揮することができる最適な運転モードを選択し、切り換えることが可能となり、所望の空調性能を発揮させて快適な車室内空調を実現することができるようになるものである。
【図面の簡単な説明】
【００２６】
【図１】本発明を適用した一実施形態の車両用空気調和装置の構成図である。
【図２】図１の車両用空気調和装置のコントローラの電気回路のブロック図である。
【図３】図２のコントローラの圧縮機制御に関する制御ブロック図である。
【図４】図２のコントローラの圧縮機制御に関するもう一つの制御ブロック図である。
【図５】図２のコントローラの室外膨張弁制御に関する制御ブロック図である。
【図６】図２のコントローラの起動時の運転モードを説明する図である。
【図７】図２のコントローラによる運転モードの切換制御を説明する図である。
【図８】図２のコントローラによる運転モードの切換制御の他の例を説明する図である。
【図９】図２のコントローラによる吸込切換ダンパの制御を説明する図である。
【図１０】図２のコントローラによる除湿冷房モードにおけるノーマルモードと放熱器温度優先モードの切換制御を説明する図である。
【図１１】図１０の放熱器温度優先モードにおけるコントローラの制御ブロック図である。
【図１２】図１０の除湿冷房モードのノーマルモードと放熱器温度優先モード切換制御を示すタイミングチャートである。
【図１３】図２のコントローラによる除湿冷房モードにおけるノーマルモードと放熱器温度優先モードの切換制御の他の例を説明する図である。
【図１４】図１３の切換制御を説明するフローチャートである。
【図１５】図１３の放熱器温度優先モードにおけるコントローラの制御ブロック図である。
【図１６】図２のコントローラによる除湿冷房モードにおけるノーマルモードと放熱器温度優先モードの切換制御のもう一つの他の例を説明する図である。
【図１７】図１６の切換制御を説明するフローチャートである。
【図１８】図１６の放熱器温度優先モードにおけるコントローラの制御ブロック図である。
【図１９】図２のコントローラによる除湿冷房モードにおけるノーマルモードと放熱器温度優先モードの切換制御の更にもう一つの他の例を説明する図である。
【図２０】図１９の切換制御を説明するフローチャートである。
【図２１】図１９の切換制御の他の例を説明するフローチャートである。
【図２２】図２１の放熱器温度優先モードにおけるコントローラの制御ブロック図である。
【発明を実施するための形態】
【００２７】
以下、本発明の実施の形態について、図面に基づき詳細に説明する。
【００２８】
図１は本発明の一実施例の車両用空気調和装置１の構成図を示している。この場合、本発明を適用する実施例の車両は、エンジン（内燃機関）を有さない電気自動車（ＥＶ）であって、バッテリに充電された電力で走行用の電動モータを駆動して走行するものであり（何れも図示せず）、本発明の車両用空気調和装置１も、バッテリの電力で駆動されるものとする。
【００２９】
即ち、実施例の車両用空気調和装置１は、エンジン廃熱による暖房ができない電気自動車において、冷媒回路を用いたヒートポンプ運転により暖房を行い、更に、除湿暖房や冷房除湿、冷房等の各運転モードを選択的に実行するものである。尚、車両として電気自動車に限らず、エンジンと走行用の電動モータを供用する所謂ハイブリッド自動車にも本発明は有効であり、更には、エンジンで走行する通常の自動車にも適用可能である。
【００３０】
実施例の車両用空気調和装置１は、電気自動車の車室内の空調（暖房、冷房、除湿、及び、換気）を行うものであり、冷媒を圧縮して昇圧する電動式の圧縮機２と、車室内空気が通気循環されるＨＶＡＣユニット１０の空気流通路３内に設けられて圧縮機２から吐出された高温高圧の冷媒を車室内に放熱させる放熱器４と、暖房時に冷媒を減圧膨張させる電動弁から成る室外膨張弁６と、冷房時には放熱器として機能し、暖房時には蒸発器として機能すべく冷媒と外気との間で熱交換を行わせる室外熱交換器７と、冷媒を減圧膨張させる電動弁から成る室内膨張弁８と、空気流通路３内に設けられて冷房時及び除湿暖房時に車室内外から冷媒に吸熱させる吸熱器９と、吸熱器９における蒸発能力を調整する蒸発能力制御弁１１と、アキュムレータ１２等が冷媒配管１３により順次接続され、冷媒回路Ｒが構成されている。尚、室外熱交換器７には、車両の停止時に外気と冷媒とを熱交換させるための室外送風機１５が設けられている。
【００３１】
また、室外熱交換器７は冷媒下流側にヘッダー部１４と過冷却部１６を順次有し、室外熱交換器７から出た冷媒配管１３Ａは冷房時に開放される電磁弁（開閉弁）１７を介してヘッダー部１４に接続され、過冷却部１６の出口が逆止弁１８を介して室内膨張弁８に接続されている。尚、ヘッダー部１４及び過冷却部１６は構造的に室外熱交換器７の一部を構成しており、逆止弁１８は室内膨張弁８側が順方向とされている。
【００３２】
また、逆止弁１８と室内膨張弁８間の冷媒配管１３Ｂは、吸熱器９の出口側に位置する蒸発能力制御弁１１を出た冷媒配管１３Ｃと熱交換関係に設けられ、両者で内部熱交換器１９を構成している。これにより、冷媒配管１３Ｂを経て室内膨張弁８に流入する冷媒は、吸熱器９を出て蒸発能力制御弁１１を経た低温の冷媒により冷却（過冷却）される構成とされている。
【００３３】
また、室外熱交換器７から出た冷媒配管１３Ａは分岐しており、この分岐した冷媒配管１３Ｄは、暖房時に開放される電磁弁（開閉弁）２１を介して内部熱交換器１９の下流側における冷媒配管１３Ｃに連通接続されている。更に、放熱器４の出口側の冷媒配管１３Ｅは室外膨張弁６の手前で分岐しており、この分岐した冷媒配管１３Ｆは除湿時に開放される電磁弁（開閉弁）２２を介して逆止弁１８の下流側の冷媒配管１３Ｂに連通接続されている。
【００３４】
また、圧縮機２の吐出側の冷媒配管１３Ｇは分岐し、この分岐した冷媒配管１３Ｈは室外熱交換器７の除霜時に開放されて圧縮機２から吐出された高温冷媒（ホットガス）を直接室外熱交換器７に流入させるための電磁弁（開閉弁）２３及び逆止弁２４を介して室外膨張弁６と室外熱交換器７間の冷媒配管１３Ｉに連通接続されている。尚、逆止弁２４は冷媒配管１３Ｉ方向を順方向とされている。
【００３５】
また、吸熱器９の空気上流側における空気流通路３には、内気吸込口と外気吸込口の各吸込口（図１では代表して吸込口２５で示す）が形成されており、この吸込口２５には空気流通路３内に導入する空気を車室内の空気である内気（内気循環モード）と、車室外の空気である外気（外気導入モード）とに切り換える吸込切換ダンパ２６が設けられている。更に、この吸込切換ダンパ２６の空気下流側には、導入した内気や外気を空気流通路３に送給するための室内送風機（ブロワファン）２７が設けられている。
【００３６】
また、放熱器４の空気上流側における空気流通路３内には、内気や外気の放熱器４への流通度合いを調整するエアミックスダンパ２８が設けられている。更に、放熱器４の空気下流側における空気流通路３には、フット、ベント、デフの各吹出口（図１では代表して吹出口２９で示す）が形成されており、この吹出口２９には上記各吹出口から空気の吹き出しを切換制御する吹出口切換ダンパ３１が設けられている。
【００３７】
次に、図２において３２はマイクロコンピュータから構成された制御手段としてのコントローラ（ＥＣＵ）であり、このコントローラ３２の入力には車両の外気温度を検出する外気温度センサ３３と、外気湿度を検出する外気湿度センサ３４と、吸込口２５から空気流通路３に吸い込まれる温度を検出するＨＶＡＣ吸込温度センサ３６と、車室内の空気（内気）の温度を検出する内気温度センサ３７と、車室内の空気の湿度を検出する内気湿度センサ３８と、車室内の二酸化炭素濃度を検出する室内ＣＯ2濃度センサ３９と、吹出口２９から車室内に吹き出される空気の温度を検出する吹出温度センサ４１と、圧縮機２の吐出冷媒圧力を検出する吐出圧力センサ４２と、圧縮機２の吐出冷媒温度を検出する吐出温度センサ４３と、圧縮機２の吸込冷媒圧力を検出する吸込圧力センサ４４と、放熱器４の温度（放熱器４自体の温度、又は、放熱器４にて加熱された空気の温度）を検出する放熱器温度センサ４６と、放熱器４の冷媒圧力（放熱器４内、又は、放熱器４を出た冷媒の圧力）を検出する放熱器圧力センサ４７と、吸熱器９の温度（吸熱器９自体、又は、吸熱器９にて冷却された空気の温度）を検出する吸熱器温度センサ４８と、吸熱器９の冷媒圧力（吸熱器９内、又は、吸熱器９を出た冷媒の圧力）を検出する吸熱器圧力センサ４９と、車室内への日射量を検出するための例えばフォトセンサ式の日射センサ５１と、車両の移動速度（車速）を検出するための車速センサ５２と、温度や運転モードの切り換えを設定するための操作部５３と、室外熱交換器７の温度を検出する室外熱交換器温度センサ５４と、室外熱交換器７の冷媒圧力を検出する室外熱交換器圧力センサ５６の各出力が接続されている。
【００３８】
コントローラ３２の出力には、前記圧縮機２と、室外送風機１５と、室内送風機（ブロワファン）２７と、吸込切換ダンパ２６と、エアミックスダンパ２８と、吸込口切換ダンパ３１と、室外膨張弁６、室内膨張弁８と、各電磁弁２３、２２、１７、２１と、蒸発能力制御弁１１が接続されている。また、コントローラ３２の出力には、放熱器４による暖房を補完するために放熱器４の空気下流側における空気流通路３に設けられた電気ヒータ５７も接続され、コントローラ３２は各センサの出力と操作部５３にて入力された設定に基づいてこれらを制御する。
【００３９】
以上の構成で、次に実施例の車両用空気調和装置１の動作を説明する。コントローラ３２は実施例では大きく分けて暖房モードと、除湿暖房モードと、内部サイクルモードと、除湿冷房モードと、冷房モードの各運転モードを切り換えて実行する。先ず、各運転モードにおける冷媒の流れについて説明する。
【００４０】
（１）暖房モード
コントローラ３２により或いは操作部５３へのマニュアル操作により暖房モードが選択されると、コントローラ３２は電磁弁２１を開放し、電磁弁１７、電磁弁２２及び電磁弁２３を閉じる。そして、圧縮機２、及び、各送風機１５、２７を運転し、エアミックスダンパ２８は室内送風機２７から吹き出された空気が放熱器４に通風される状態とする。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化する。
【００４１】
放熱器４内で液化した冷媒は冷媒配管１３Ｅを経て室外膨張弁６に至り、そこで減圧された後、室外熱交換器７に流入する。室外熱交換器７に流入した冷媒は蒸発し、走行により、或いは、室外送風機１５にて通風される外気中から熱を汲み上げる（ヒートポンプ）。そして、室外熱交換器７を出た低温の冷媒は冷媒配管１３Ｄ及び電磁弁２１を経て冷媒配管１３Ｃからアキュムレータ１２に入り、そこで気液分離された後、ガス冷媒が圧縮機２に吸い込まれる循環を繰り返す。放熱器４にて加熱された空気は吹出口２９から吹き出されるので、これにより車室内の暖房が行われることになる。
【００４２】
コントローラ３２は吐出圧力センサ４２又は放熱器圧力センサ４７が検出する冷媒回路Ｒの高圧圧力に基づいて圧縮機２の回転数を制御すると共に、放熱器温度センサ４６が検出する放熱器４の温度及び放熱器圧力センサ４７が検出する放熱器４の冷媒圧力に基づいて室外膨張弁６の弁開度を制御し、放熱器４の出口における冷媒の過冷却度を制御する。
【００４３】
（２）除湿暖房モード
次に、除湿暖房モードでは、コントローラ３２は上記暖房モードの状態において電磁弁２２を開放する。これにより、放熱器４を経て冷媒配管１３Ｅを流れる凝縮冷媒の一部が分流され、電磁弁２２を経て冷媒配管１３Ｆ及び１３Ｂより内部熱交換器１９を経て室内膨張弁８に至るようになる。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００４４】
吸熱器９で蒸発した冷媒は蒸発能力制御弁１１、内部熱交換器１９を経て冷媒配管１３Ｃにて冷媒配管１３Ｄからの冷媒と合流した後、アキュムレータ１２を経て圧縮機２に吸い込まれる循環を繰り返す。吸熱器９にて除湿された空気は放熱器４を通過する過程で再加熱されるので、これにより車室内の除湿暖房が行われることになる。
【００４５】
コントローラ３２は吐出圧力センサ４２又は放熱器圧力センサ４７が検出する冷媒回路Ｒの高圧圧力に基づいて圧縮機２の回転数を制御すると共に、吸熱器温度センサ４８が検出する吸熱器９の温度に基づいて室外膨張弁６の弁開度を制御する。
【００４６】
（３）内部サイクルモード
次に、内部サイクルモードでは、コントローラ３２は上記除湿暖房モードの状態において室外膨張弁６を閉じる（全閉）。即ち、この内部サイクルモードは除湿暖房モードにおける室外膨張弁６の制御で当該室外膨張弁６を全閉とした状態と云えるので、内部サイクルモードは除湿暖房モードの一部と捕らえることもできる。
【００４７】
但し、室外膨張弁６が閉じられることにより、室外熱交換器７への冷媒の流入は阻止されるので、放熱器４を経て冷媒配管１３Ｅを流れる凝縮冷媒は電磁弁２２を経て冷媒配管１３Ｆに全て流れるようになる。そして、冷媒配管１３Ｆを流れる冷媒は冷媒配管１３Ｂより内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００４８】
吸熱器９で蒸発した冷媒は蒸発能力制御弁１１、内部熱交換器１９を経て冷媒配管１３Ｃを流れ、アキュムレータ１２を経て圧縮機２に吸い込まれる循環を繰り返す。吸熱器９にて除湿された空気は放熱器４を通過する過程で再加熱されるので、これにより車室内の除湿暖房が行われることになるが、この内部サイクルモードでは室内側の空気流通路３内にある放熱器４（放熱）と吸熱器９（吸熱）の間で冷媒が循環されることになるので、外気からの熱の汲み上げは行われず、圧縮機２の消費動力分の暖房能力が発揮される。除湿作用を発揮する吸熱器９には冷媒の全量が流れるので、上記除湿暖房モードに比較すると除湿能力は高いが、暖房能力は低くなる。
【００４９】
コントローラ３２は吸熱器９の温度、又は、前述した冷媒回路Ｒの高圧圧力に基づいて圧縮機２の回転数を制御する。このとき、コントローラ３２は後述する如く吸熱器９の温度によるか高圧圧力によるか、何れかの演算から得られる圧縮機目標回転数の低い方を選択して圧縮機２を制御する。
【００５０】
（４）除湿冷房モード
次に、除湿冷房モードでは、コントローラ３２は電磁弁１７を開放し、電磁弁２１、電磁弁２２、及び、電磁弁２３を閉じる。そして、圧縮機２、及び、各送風機１５、２７を運転し、エアミックスダンパ２８は室内送風機２７から吹き出された空気が放熱器４に通風される状態とする。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。
【００５１】
放熱器４を出た冷媒は冷媒配管１３Ｅを経て室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てヘッダー部１４、過冷却部１６と順次流入する。ここで冷媒は過冷却される。
【００５２】
室外熱交換器７の過冷却部１６を出た冷媒は逆止弁１８を経て冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００５３】
吸熱器９で蒸発した冷媒は蒸発能力制御弁１１、内部熱交換器１９を経て冷媒配管１３Ｃを介し、アキュムレータ１２に至り、そこを経て圧縮機２に吸い込まれる循環を繰り返す。吸熱器９にて冷却され、除湿された空気は放熱器４を通過する過程で再加熱（暖房時よりも放熱能力は低い）されるので、これにより車室内の除湿冷房が行われることになる。
【００５４】
コントローラ３２は吸熱器温度センサ４８が検出する吸熱器９の温度に基づいて圧縮機２の回転数を制御すると共に、前述した冷媒回路Ｒの高圧圧力に基づいて室外膨張弁６の弁開度を制御し、放熱器４の冷媒圧力（後述する放熱器圧力ＰＣＩ）を制御する。
【００５５】
（５）冷房モード
次に、冷房モードでは、コントローラ３２は上記除湿冷房モードの状態において室外膨張弁６を全開（弁開度を制御上限）とし、エアミックスダンパ２８は放熱器４に空気が通風されない状態とする。これにより、圧縮機２から吐出された高温高圧のガス冷媒は放熱器４に流入する。放熱器４には空気流通路３内の空気は通風されないので、ここは通過するのみとなり、放熱器４を出た冷媒は冷媒配管１３Ｅを経て室外膨張弁６に至る。
【００５６】
このとき室外膨張弁６は全開であるので冷媒はそのまま室外熱交換器７に流入し、そこで走行により、或いは、室外送風機１５にて通風される外気により空冷され、凝縮液化する。室外熱交換器７を出た冷媒は冷媒配管１３Ａから電磁弁１７を経てヘッダー部１４、過冷却部１６と順次流入する。ここで冷媒は過冷却される。
【００５７】
室外熱交換器７の過冷却部１６を出た冷媒は逆止弁１８を経て冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却される。
【００５８】
吸熱器９で蒸発した冷媒は蒸発能力制御弁１１、内部熱交換器１９を経て冷媒配管１３Ｃを介し、アキュムレータ１２に至り、そこを経て圧縮機２に吸い込まれる循環を繰り返す。吸熱器９にて冷却され、除湿された空気は放熱器４を通過すること無く吹出口２９から車室内に吹き出されるので、これにより車室内の冷房が行われることになる。
【００５９】
この冷房モードにおいては、コントローラ３２は吸熱器温度センサ４８が検出する吸熱器９の温度に基づいて圧縮機２の回転数を制御するが、次に、図３乃至図５に上述した各運転モードにおけるコントローラ３２による圧縮機２と室外膨張弁６の制御ブロック図を示す。図３は前記暖房モードと除湿暖房モード用の圧縮機２の目標回転数（圧縮機目標回転数）ＴＧＮＣｈを決定するコントローラ３２の制御ブロック図である。コントローラ３２のＦ／Ｆ（フィードフォワード）操作量演算部５８は外気温度センサ３３から得られる外気温度Ｔａｍと、室内送風機２７のブロワ電圧ＢＬＶと、ＳＷ＝（ＴＡＯ−Ｔｅ）／（ＴＨ−Ｔｅ）で得られるエアミックスダンパ２８のエアミックスダンパ開度ＳＷと、放熱器４の出口における過冷却度ＳＣの目標値である目標過冷却度ＴＧＳＣと、放熱器４の温度の目標値である目標放熱器温度ＴＣＯと、放熱器４の圧力の目標値である目標放熱器圧力ＰＣＯに基づいて圧縮機目標回転数のＦ／Ｆ操作量ＴＧＮＣｈｆｆを演算する。
【００６０】
尚、ＴＡＯは吹出口２９からの空気温度の目標値である目標吹出温度、ＴＨは放熱器温度センサ４６から得られる放熱器４の温度（放熱器温度）、Ｔｅは吸熱器温度センサ４８から得られる吸熱器９の温度（吸熱器温度）であり、エアミックスダンパ開度ＳＷは０≦ＳＷ≦１の範囲で変化し、０で放熱器４への通風をしないエアミックス全閉状態、１で空気流通路３内の全ての空気を放熱器４に通風するエアミックス全開状態となる。
【００６１】
前記目標放熱器圧力ＰＣＯは上記目標過冷却度ＴＧＳＣと目標放熱器温度ＴＣＯに基づいて目標値演算部５９が演算する。更に、Ｆ／Ｂ（フィードバック）操作量演算部６０はこの目標放熱器圧力ＰＣＯと放熱器４の冷媒圧力である放熱器圧力ＰＣＩに基づいて圧縮機目標回転数のＦ／Ｂ操作量ＴＧＮＣｈｆｂを演算する。そして、Ｆ／Ｆ操作量演算部５８が演算したＦ／Ｆ操作量ＴＧＮＣｎｆｆとＦ／Ｂ操作量演算部６０が演算したＴＧＮＣｈｆｂは加算器６１で加算され、リミット設定部６２で制御上限値と制御下限値のリミットが付けられた後、圧縮機目標回転数ＴＧＮＣｈとして決定される。前記暖房モードと除湿暖房モードにおいては、コントローラ３２はこの圧縮機目標回転数ＴＧＮＣｈに基づいて圧縮機２の回転数を制御する。
【００６２】
一方、図４は前記冷房モードと除湿冷房モード（後述するノーマルモード）用の圧縮機２の目標回転数（圧縮機目標回転数）ＴＧＮＣｃを決定するコントローラ３２の制御ブロック図である。コントローラ３２のＦ／Ｆ操作量演算部６３は外気温度Ｔａｍと、ブロワ電圧ＢＬＶと、吸熱器９の温度の目標値である目標吸熱器温度ＴＥＯに基づいて圧縮機目標回転数のＦ／Ｆ操作量ＴＧＮＣｃｆｆを演算する。
【００６３】
また、Ｆ／Ｂ操作量演算部６４は目標吸熱器温度ＴＥＯと吸熱器温度Ｔｅに基づいて圧縮機目標回転数のＦ／Ｂ操作量ＴＧＮＣｃｆｂを演算する。そして、Ｆ／Ｆ操作量演算部６３が演算したＦ／Ｆ操作量ＴＧＮＣｃｆｆとＦ／Ｂ操作量演算部６４が演算したＦ／Ｂ操作量ＴＧＮＣｃｆｂは加算器６６で加算され、リミット設定部６７で制御上限値と制御下限値のリミットが付けられた後、圧縮機目標回転数ＴＧＮＣｃとして決定される。冷房モードと除湿冷房モードのノーマルモードにおいては、コントローラ３２はこの圧縮機目標回転数ＴＧＮＣｃに基づいて圧縮機２の回転数を制御する。
【００６４】
尚、前記内部サイクルモードにおいては、コントローラ３２は前述した如く暖房モードと除湿暖房モード用に演算された圧縮機目標回転数ＴＧＮＣｈと冷房モードと除湿冷房モード用に演算された圧縮機目標回転数ＴＧＮＣｃのうちの小さい方の操作量を用いて圧縮機２の回転数を制御する。
【００６５】
次に、図５は除湿冷房モードにおける室外膨張弁６の目標開度（室外膨張弁目標開度）ＴＧＥＣＣＶｐｃを決定するコントローラ３２の制御ブロック図である。コントローラ３２のＦ／Ｆ操作量演算部６８は外気温度Ｔａｍと、ブロワ電圧ＢＬＶと、目標放熱器温度ＴＣＯと、目標放熱器圧力ＰＣＯに基づいて室外膨張弁目標開度のＦ／Ｆ操作量ＴＧＥＣＣＶｐｃｆｆを演算する。
【００６６】
また、Ｆ／Ｂ操作量演算部６９は目標放熱器圧力ＰＣＯと放熱器圧力ＰＣＩに基づいて室外膨張弁目標開度のＦ／Ｂ操作量ＴＧＥＣＣＶｐｃｆｂを演算する。そして、Ｆ／Ｆ操作量演算部６８が演算したＦ／Ｆ操作量ＴＧＥＣＣＶｐｃｆｆとＦ／Ｂ操作量演算部６９が演算したＦ／Ｂ操作量ＴＧＥＣＣＶｐｃｆｂは加算器７１で加算され、リミット設定部７２で制御上限値と制御下限値のリミットが付けられた後、室外膨張弁目標開度ＴＧＥＣＣＶｐｃとして決定される。除湿冷房モードにおいては、コントローラ３２はこの室外膨張弁目標開度ＴＧＥＣＣＶｐｃに基づいて室外膨張弁６の弁開度を制御する。
【００６７】
空気流通路３内を流通される空気は上記各運転モードにおいて吸熱器９からの冷却や放熱器４からの加熱作用（エアミックスダンパ２８で調整）を受けて吹出口２９から車室内に吹き出される。コントローラ３２は外気温度センサ３３が検出する外気温度Ｔａｍ、内気温度センサ３７が検出する車室内の温度、前記ブロワ電圧、日射センサ５１が検出する日射量等と、操作部５３にて設定された車室内の目標車室内温度（設定温度）とに基づいて目標吹出温度ＴＡＯを算出し、後述する如く各運転モードを切り換えて吹出口２９から吹き出される空気の温度をこの目標吹出温度ＴＡＯに制御するものである。
【００６８】
次に、図６乃至図９を参照しながらコントローラ３２による上記各運転モードの切換制御について説明する。
（６）運転モードの切換制御
図６は車両用空気調和装置１のコントローラ３２が起動時に選択する運転モードを示している。起動時においては、コントローラ３２は外気温度センサ３３が検出する外気温度Ｔａｍと目標吹出温度ＴＡＯとに基づいて運転モードを選択する。即ち、この図６において破線Ｌ１は目標吹出温度ＴＡＯ＝外気温度Ｔａｍの線であり、実線Ｌ２は目標吹出温度ＴＡＯ＝ＨＶＡＣ吸込温度（吸込口２５から空気流通路３に吸い込まれる温度）の線である。また、破線Ｌ３はそれより所定値（３ｄｅｇ）上に設定したヒステリシスの線である。
【００６９】
先ず実施例の場合、起動時に外気温度Ｔａｍが０℃以下の場合、コントローラ３２は暖房モードを選択する。また、外気温度Ｔａｍが０℃より高く、目標吹出温度ＴＡＯがＨＶＡＣ吸込温度以下の場合、冷房モードを選択する。更に、外気温度Ｔａｍが０℃より高く所定値（例えば２０℃等）以下の場合であって、目標吹出温度ＴＡＯがＨＶＡＣ吸込温度より高い場合、除湿暖房モードとし、更に外気温度Ｔａｍが所定値より高い場合には除湿冷房モードとする。尚、除湿暖房モードを選択する条件で、外気湿度センサ３４が検出する外気湿度が所定値（例えば５０％等）以下の場合は暖房モードを選択する。
【００７０】
次に、図７は起動後のコントローラ３２による運転モード切換制御の一例を示している。コントローラ３２は前記暖房モードを実行しているときに、外気温度センサ３３と外気湿度センサ３４に基づき、外気温度Ｔａｍが０℃より例えば２ｄｅｇ温度が高い２℃以上に上昇し、且つ、外気湿度が例えば５０％以上に上昇した場合、除湿暖房モードに移行する。また、暖房モードを実行しているときに、外気温度Ｔａｍが上記０℃より高い例えば２０℃より２ｄｅｇ温度が高い２２℃以上に上昇し、且つ、外気湿度が同じく５０％以上に上昇した場合、除湿暖房モードを飛ばして除湿冷房モードに移行する。
【００７１】
また、コントローラ３２は前記除湿暖房モードを実行しているときに、外気温度Ｔａｍが０℃以下に低下し、且つ、外気湿度が５０％より例えば５％低い４５％未満に低下した場合、暖房モードに移行する。
【００７２】
また、コントローラ３２は除湿暖房モードを実行しているときに、室外膨張弁６の弁開度が前述した制御下限値となっており（即ち、それ以上冷媒を絞れない状態）、且つ、吸熱器温度Ｔｅ−目標吸熱器温度ＴＥＯが例えば２ｄｅｇより大きくなった状態（即ち、吸熱器９における吸熱が不足している状態）、又は、放熱器温度ＴＨ−目標放熱器温度ＴＣＯが例えば５ｄｅｇ以上となった状態（即ち、放熱器４における放熱が過剰となる状態）が所定時間以上継続した場合、前記内部サイクルモードに移行する。
【００７３】
また、コントローラ３２は内部サイクルモードを実行しているときに、吸熱器温度Ｔｅ−目標吸熱器温度ＴＥＯが前述の２ｄｅｇより大きい例えば３ｄｅｇより大きくなった状態（即ち、吸熱器９における吸熱が更に不足している状態）、又は、放熱器温度ＴＨ−目標放熱器温度ＴＣＯが前述の５ｄｅｇより大きい例えば１０ｄｅｇ以上となった状態（即ち、放熱器４における放熱が更に過剰となる状態）、又は、目標吹出温度ＴＡＯ−ＨＶＡＣ吸込温度が例えば３ｄｅｇ以下となった状態が所定時間以上継続した場合、除湿冷房モードのノーマルモード（吸熱器温度優先モード）に移行する。
【００７４】
尚、前記除湿暖房モードを実行しているときに、上記内部サイクルモードから除湿冷房モードに移行する条件よりも更に吸熱器９における吸熱が不足した状態、又は、更に放熱器４における放熱が過剰な状態になった場合等には、コントローラ３２が内部サイクルモードを介すること無く、直接除湿冷房モードに移行するようにしてもよい。それにより環境条件の変化等により迅速に対応することができるようになる。
【００７５】
また、コントローラ３２はこの除湿冷房モードにおいてノーマルモードと放熱器温度優先モードを切り換えて実行するが、これらノーマルモードと放熱器温度優先モードについては後に詳述する。そして、コントローラ３２はこの除湿冷房モードにおける放熱器温度優先モードを実行しているときに、目標放熱器温度ＴＣＯ−放熱器温度ＴＨが例えば３ｄｅｇより大きくなり（即ち、放熱器４における放熱が不足）、その状態が所定時間以上継続した場合、内部サイクルモードに移行する。
【００７６】
また、コントローラ３２は内部サイクルモードを実行しているときに、目標放熱器温度ＴＣＯ−放熱器温度ＴＨが例えば３ｄｅｇより大きくなり（即ち、放熱器４における放熱が不足）、又は、目標吸熱器温度ＴＥＯ−吸熱器温度Ｔｅが例えば２ｄｅｇより大きくなり（即ち、吸熱器９における吸熱が過剰）、且つ、外気導入を導入する状態でＨＶＡＣ吸込温度（外気吸入温度）が例えば２０℃以下となっている状態が所定時間以上継続した場合、除湿暖房モードに移行する。
【００７７】
尚、この内部サイクルモードを実行しているときに、上記除湿暖房モードに移行する条件よりも更に放熱器４における放熱が不足した状態、又は、更に吸熱器９における吸熱が過剰となった場合等には、コントローラ３２が除湿暖房モードを介すること無く直接暖房モード移行するようにしてもよい。それによって前述同様、環境条件等の変化により迅速に対応できるようになる。
【００７８】
更に、コントローラ３２は除湿冷房モードを実行しているときに、室外膨張弁６の弁開度が前述した制御上限値となっており（即ち、冷媒をそのまま通過させる状態）、且つ、エアミックスダンパ２８の前記エアミックスダンパ開度ＳＷが所定値より小さい場合、冷房モードに移行する。
【００７９】
そして、コントローラ３２はこの冷房モードを実行しているときに、エアミックスダンパ開度ＳＷが所定値以上となり、且つ、目標放熱器温度ＴＣＯ−ＴＨが例えば３ｄｅｇ以上となった場合（即ち、放熱器４における放熱が不足）、除湿冷房モードに移行する。
【００８０】
このようにコントローラ３２が運転モードを切り換えることにより、車両の環境や設定温度等の条件によって放熱器４における放熱や吸熱器９における吸熱が不足し、或いは、過剰となる状況に応じて、除湿暖房モード、内部サイクルモード、及び、除湿冷房モード間の運転モードの切り換えを的確に行うことが可能となる。
【００８１】
また、外気環境に応じて暖房モード、除湿暖房モード、及び、除湿冷房モード間の運転モードの切り換えを的確に行うことが可能となると共に、外気環境が更に温度上昇する状況では暖房モードから直接除湿冷房モードに移行することができるようになる。更に、室外膨張弁６の制御状況や放熱器４の放熱の状況に応じて冷房モードと除湿冷房モードの間の運転モードの切り換えを的確に行うことが可能となる。
【００８２】
（６−１）他の運転モード切換制御
尚、前述した如く内部サイクルモードは除湿暖房モードにおける室外膨張弁６の制御で当該室外膨張弁６を全閉とした状態と云える。図８は除湿暖房モードからそのまま内部サイクルモードに移行する室外膨張弁６の制御ロジックとした場合の起動後のコントローラ３２による運転モード切換制御の一例を示している。
【００８３】
この場合、内部サイクルモードは除湿暖房モードに含まれる。また、除湿暖房モードから除湿冷房モードに移行する条件は、前述した内部サイクルモードから除湿冷房モードに移行する条件と同様である。
【００８４】
（６−２）内外気制御
次に、図９はコントローラ３２による吸込切換ダンパ２６の制御の一例を示している。前述したように吸込切換ダンパ２６は空気流通路３に外気を導入する外気導入モードと、車室内の空気を導入する内気循環モードとを切り換えるものであるが、係る内外気制御は起動時と起動後の安定時とで異なる。
【００８５】
即ち、車両用空気調和装置１の起動時（車室内の設定温度と車室内の温度の差の絶対値が所定値以内）には、コントローラ３２は暖房モード、又は、除湿暖房モード（内部サイクルモードを含む）を実行する際、外気温度センサ３３から得られる外気温度が内気温度センサ３７から得られる内気温度以上の場合（即ち、少なくとも外気温度が車室内温度より高い場合を含む）、又は、内気湿度センサ３８から得られる車室内湿度が外気湿度センサ３４から得られる外気湿度より高い場合、吸込切換ダンパ２６により外気導入モードとし、車室内温度が外気温度より高い場合、又は、外気湿度が車室内湿度以上の場合（即ち、少なくとも外気湿度が車室内湿度より高い場合を含む）、内気循環モードとする。
【００８６】
また、コントローラ３２は、起動時に冷房モード、又は、除湿冷房モードを実行する際、外気温度が内気温度以上の場合（即ち、少なくとも外気温度が車室内温度より高い場合を含む）、又は、外気湿度が内気湿度以上の場合（即ち、少なくとも外気湿度が車室内湿度より高い場合を含む）、吸込切換ダンパ２６により内気循環モードとし、車室内温度が外気温度より高い場合、又は、車室内湿度が外気湿度より高い場合、外気導入モードとする。
【００８７】
一方、コントローラ３２は起動後の安定時（車室内温度が設定温度に略等しい）においては、室内ＣＯ2濃度センサ３９から得られる車室内の二酸化炭素濃度が高く、所定値以上の場合、又は、内気循環モードが所定時間以上継続された場合（内気導入時間が所定値以上の場合）、又は、車室内湿度が外気湿度より高い場合、又は、車室内に吹き出される温度の目標値である目標吹出温度ＴＡＯが外気温度と同一若しくはそれに近い場合（誤差α）、吸込切換ダンパ２６により外気導入モードとし、これら以外の場合、即ち、車室内の二酸化炭素が所定値より低い場合、又は、外気湿度が内気湿度以上の場合、又は、外気温度が目標吹出温度ＴＡＯと大きく異なる場合（差がαより大きい）、内気循環モードとする。
【００８８】
このように吸込切換ダンパ２６を制御することにより、起動時に暖房モードや除湿暖房モードを実行する際、外気環境に応じて外気導入モードと内気循環モードを的確に切り換え、外気中の熱を車室内の暖房に有効に利用することができるようになる。また、起動時に冷房モードや除湿冷房モードを実行する際には、外気環境に応じて外気導入モードと内気循環モードを的確に切り換え、外気中の熱による車室内冷房への悪影響を解消し、或いは、外気中の冷熱を車室内の冷房に有効に利用することができるようになる。更に、起動後の安定時における車室内の二酸化炭素濃度や目標吹出温度に応じても外気導入モードと内気循環モードを的確に切り換えることが可能となる。
【００８９】
尚、上記実施例では吸込切換ダンパ２６により空気流通路３に外気を導入する外気導入モードと車室内空気（内気）を導入する内気循環モードを切り換えるようにしたが、それに限らず、全て外気を導入する状態と全て車室内空気を導入する場合との間で、外気と内気の混合度合い（内気の混入量）を連続的に調整する制御としてもよい。その場合も、外気温度、内気温度、外気湿度、内気湿度、車室内の二酸化炭素濃度の条件による制御の方向は上記実施例と同様とする。
【００９０】
そして、上記運転モードの切換制御に合わせて実施例の車両用空気調和装置１によれば、車両の環境や設定温度等の条件に応じて所望の空調性能を発揮することができる最適な運転モードを選択し、切り換えることが可能となり、所望の空調性能を発揮させて快適な車室内空調を実現することができるようになる。
【００９１】
（７）除湿冷房モードにおけるノーマルモードと放熱器温度優先モード
次に、図１０乃至図２２を用いて前述した除湿冷房モードにおけるノーマルモード（吸熱器温度優先モード）と放熱器温度優先モードの切換制御について説明する。前述した如く除湿冷房モードのノーマルモードでは、吸熱器９の温度（吸熱器温度Ｔｅ）により圧縮機２の回転数（目標回転数ＴＧＮＣｃ）を制御するため、吸熱器温度Ｔｅが目標吸熱器温度ＴＥＯに収束し、室外膨張弁６の弁開度が前述した制御下限値となった状態（絞り切った状態）でも冷媒回路Ｒの高圧圧力が上がらず、放熱器圧力ＰＣＩが目標放熱器圧力ＰＣＯとならない場合、放熱器４の温度（放熱器温度ＴＣＯ）が不足する状態に陥る。
【００９２】
そこで、係る場合コントローラ３２は目標吸熱器温度ＴＥＯを下げることで圧縮機２の回転数を上げ、圧縮機２の能力を増大させて高圧圧力を上昇させ、放熱器圧力ＰＣＩを目標放熱器圧力ＰＣＯに上げる放熱器温度優先モードを実行する。図１０は除湿冷房モードにおけるノーマルモードと放熱器温度優先モードの間のモード切換制御を示している。コントローラ３２は除湿冷房モード（吸熱器温度を優先するノーマルモード）を実行しているときに、室外膨張弁６の弁開度が前記制御下限値以下となっており、且つ、目標放熱器温度ＴＣＯ−放熱器温度ＴＨが例えば１ｄｅｇ以上（即ち、放熱器４における放熱が不足）となった状態が所定時間以上経過した場合、放熱器温度優先モードに移行する。
【００９３】
図１１はこの放熱器温度優先モードにおけるコントローラ３２の制御ブロック図の一例を示している。即ち、図１１の７４は基本目標吸熱器温度ＴＥＯ０のデータテーブルであり、これは外気温度に対応して予め設定されている。尚、この基本目標吸熱器温度ＴＥＯ０は当該外気温度の環境で必要な湿度を得るための吸熱器温度である。通常はこのデータテーブル７４に基づいて目標吸熱器温度ＴＥＯが決定されるが、この放熱器温度優先モードでは、コントローラ３２は放熱器目標圧力ＰＣＯと放熱器圧力ＰＣＩとの差の積分値に基づいて補正を加える。
【００９４】
即ち、放熱器目標圧力ＰＣＯと放熱器圧力センサ４７から得られる放熱器圧力ＰＣＩは減算器７６に入力され、その偏差ｅが増幅器７７で増幅されて演算器７８に入力される。演算器７８では所定の積分周期と積分時間で吸熱器温度補正値の積分演算が行われ、加算器７９で前回値と加算された吸熱器温度補正値の積分値ＴＥＯＰＣＯが算出される。そして、リミット設定部８１で制御上限値と制御下限値のリミットが付けられた後、吸熱器温度補正値ＴＥＯＰＣとして決定される。
【００９５】
この吸熱器温度補正値ＴＥＯＰＣが減算器８２にて基本目標吸熱器温度ＴＥＯ０から減算され、目標吸熱器温度ＴＥＯとして決定される。従って、ノーマルモードのときよりも、吸熱器温度補正値ＴＥＯＰＣの分、目標吸熱器温度ＴＥＯが下げられ、それにより圧縮機２の圧縮機目標回転数ＴＧＮＣｃが引き上げられることになり、圧縮機２の回転数が上がり、圧縮機２の能力が増大して高圧圧力が上昇し、放熱器圧力ＰＣＩが上昇して必要な放熱器４の温度ＴＨを得ることができるようになる。
【００９６】
尚、リミット設定部８１では吸熱器９に着霜しない範囲に吸熱器温度補正値ＴＥＯＰＣが制限される。図１２はこの様子を説明するタイミングチャートである。ノーマルモードにおいて吸熱器温度Ｔｅが目標吸熱器温度ＴＥＯに収束し、圧縮機２の回転数が低下している状態で、室外膨張弁６が制御下限値となっている状況から前述した条件で放熱器温度優先モードに移行すると、圧縮機２の回転数が上昇し、吸熱器温度Ｔｅが低下し、放熱器圧力ＰＣＩ（又は放熱器温度ＴＨ）が上昇しているのが分かる。
【００９７】
他方、この放熱器温度優先モードにおいて、前述した吸熱器温度補正値ＴＥＯＰＣが零となり、且つ、放熱器温度ＴＨ−目標放熱器温度ＴＣＯが例えば１ｄｅｇより高く（即ち、放熱器４の放熱が過剰）となった状態が所定時間以上継続した場合、コントローラ３２は放熱器温度優先モードからノーマルモードに復帰する。
【００９８】
尚、係るノーマルモードと放熱器温度優先モードの切換制御は、内部サイクルモードで冷房モードと除湿冷房モード用に演算された圧縮機目標回転数ＴＧＮＣｃを用いて圧縮機２の回転数を制御している場合にも同様に適用することができる。
【００９９】
このように除湿冷房モードや内部サイクルモードにおいて、吸熱器９の温度Ｔｅが目標値ＴＥＯに収束し、室外膨張弁６の弁開度が制御下限値となっても放熱器４の温度ＴＨが不足する場合には、放熱器圧縮機２の能力を増大させて高圧を上昇させ、放熱器４における冷媒の放熱量を増大させるので、除湿冷房モードにおける放熱器４による再加熱を確保し、空調性能を確保することが可能となり、除湿冷房モードの有効範囲を拡大して快適な車室内空調を実現することが可能となる。この場合、コントローラ３２は吸熱器９に着霜しない範囲で吸熱器目標温度ＴＥＯを補正して低下させるので、過剰な吸熱器９の温度低下による着霜の発生も防止することが可能となり、省エネ化も図ることができるようになる。
【０１００】
（７−１）電気ヒータとの協調制御
ここで、係る吸熱器目標温度ＴＥＯの低下による圧縮機２の回転数上昇によっても放熱器４の温度ＴＨが目標放熱器温度ＴＣＯに上昇しないときは、電気ヒータ５７を活用してもよい。図１３〜図１５は係る電気ヒータ５７との協調制御による放熱器温度優先モードの制御を示している。この場合もノーマルモードから放熱器温度優先モードへの移行条件は図１０の場合と同様である。図１４はその場合のコントローラ３２のフローチャートを示しており、ステップＳ１で現在のモードが除湿冷房モードであり、且つ、放熱器温度優先モードとなったか否か判断し、なっていればステップＳ２に進み、電気ヒータ５７の制御許可を出す。
【０１０１】
図１５は電気ヒータ５７の制御許可が出た場合のコントローラ３２の電気ヒータ５７の制御ブロック図を示している。即ち、放熱器目標温度ＴＣＯ（放熱器目標圧力ＰＣＯでも良い）と放熱器温度センサ４６から得られる放熱器温度ＴＨ（放熱器圧力ＰＣＩでも良い）は減算器８３に入力され、その偏差ｅが増幅器８４で増幅されて演算器８６に入力される。演算器８６では所定の積分周期と積分時間で電気ヒータ電力Ｐｈｔｒの積分演算が行われ、加算器８７で前回値と加算された電気ヒータ電力の積分値が算出される。そして、リミット設定部８８で制御上限値と制御下限値のリミットが付けられた後、電気ヒータ電力Ｐｈｔｒとして決定される。
【０１０２】
コントローラ３２は、この電気ヒータ電力Ｐｈｔｒの操作量により電気ヒータ５７に通電して発熱させるので、放熱器４の温度の不足を電気ヒータ５７によって補完し、より一層快適な車室内空調を実現することが可能となる。尚、この場合のノーマルモードへの復帰条件は、前述した吸熱器温度補正値ＴＥＯＰＣ＝０の代わりに電気ヒータ電力Ｐｈｔｒ＝０となる（図１３）。
【０１０３】
（７−２）室内送風機（ブロワファン）との協調制御
また、室内送風機２７の風量を上昇させれば、吸熱器９における吸熱量が増え、それにより高圧圧力も上昇して放熱器温度ＴＨも上がる。そこで、係る電気ヒータ５７との協調の代わりに、或いは、それに加えて室内送風機２７を協調させることで放熱器温度ＴＨを確保してもよい。図１６〜図１８は係る室内送風機２７との協調による放熱器温度優先モードの制御を示している。この場合もノーマルモードから放熱器温度優先モードへの移行条件は図１０の場合と同様である。図１７はその場合のコントローラ３２のフローチャートを示しており、ステップＳ３で現在のモードが除湿冷房モードであり、且つ、放熱器温度優先モードとなったか否か判断し、なっていればステップＳ４に進み、室内送風機２７の制御はオート（ＡＵＴＯ）が選択されている（即ち、マニュアルモードではない）か否か判断し、オートである場合には、ステップＳ５に進んで室内送風機協調制御許可を出す。
【０１０４】
図１８は室内送風機（ブロワファン）２７の協調制御許可が出た場合のコントローラ３２の室内送風機２７の制御ブロック図を示している。即ち、図１８の９２はブロワ電圧基本値ＢＬＶ０のデータテーブルであり、これは目標吹出温度ＴＡＯに対応して予め設定されている。尚、このブロワ電圧基本値ＢＬＶ０は目標吹出温度ＴＡＯに適した室内送風機２７の風量を得るためのブロワ電圧である。通常はこのデータテーブル９２に基づいてブロワ電圧ＢＬＶが決定されるが、この放熱器温度優先モードでは、コントローラ３２は目標放熱器温度ＴＣＯ（放熱器目標圧力ＰＣＯでもよい）と放熱器温度ＴＨ（放熱器圧力ＰＣＩでもよい）との差の積分値に基づいて補正を加える。
【０１０５】
即ち、目標放熱器温度ＴＣＯと放熱器温度センサ４６から得られる放熱器温度ＴＨは減算器９７に入力され、その偏差ｅが増幅器８９で増幅されて演算器９１に入力される。演算器９１では所定の積分周期と積分時間でブロワ電圧補正値の積分演算が行われ、加算器９３で前回値と加算されたブロワ電圧補正値の積分値が算出される。そして、リミット設定部９４で制御上限値と制御下限値のリミットが付けられた後、ブロワ電圧補正値ＢＬＶｈｔｒとして決定される。
【０１０６】
このブロワ電圧補正値ＢＬＶｈｔｒが加算器９６にてブロワ電圧基本値ＢＬＶ０に加算され、ブロワ電圧ＢＬＶとして決定される。従って、ノーマルモードのときよりも、ブロワ電圧補正値ＢＬＶｈｔｒの分、ブロワ電圧ＢＬＶが引き上げられ、それにより室内送風機２７の風量が増大し、吸熱器９における吸熱量が増大し、高圧圧力が上昇して放熱器圧力ＰＣＩが上昇し、放熱器４の温度ＴＨが上がることになる。これにより、放熱器４の温度不足をより一層迅速に解消することが可能となる。尚、この場合のノーマルモードへの復帰条件は、図１０の吸熱器温度補正値ＴＥＯＰＣ＝０の代わりにブロワ電圧補正値ＢＬＶｈｔｒ＝０となる（図１６）。
【０１０７】
（７−３）内外気制御との協調制御
また、放熱器温度ＴＨを上げるために外気導入と内気循環の内外気制御を協調させてもよい。即ち、室内温度（内気温度）と外気温度の高い方を空気流通路３に導入すれば、吸熱器９における吸熱量が増え、それにより高圧圧力も上昇して放熱器温度ＴＨも上がる。そこで、上記電気ヒータ５７や室内送風機２７との協調の代わりに、或いは、それらに加えて吸込切換ダンパ２６による内外気制御を協調させることで放熱器温度ＴＨを確保してもよい。図１９及び図２０は係る内外気制御との協調による放熱器温度優先モードの制御を示している。
【０１０８】
この場合もノーマルモードから放熱器温度優先モードへの移行条件は図１０の場合と同様である。図２０はその場合のコントローラ３２のフローチャートを示しており、ステップＳ６で現在のモードが除湿冷房モードであり、且つ、放熱器温度優先モードとなったか否か判断し、なっていればステップＳ７に進み、吸込切換ダンパ２６による内外気制御はオート（ＡＵＴＯ）が選択されている（即ち、マニュアルモードではない）か否か判断し、オートである場合には、ステップＳ８に進んで現在が外気導入モードであるか否か判断する。現在が外気導入モードである場合、コントローラ３２はステップＳ９に進み、内気温度センサ３７から得られる車室内温度（内気温度）が外気温度センサ３３から得られる外気温度より高く、且つ、室内ＣＯ2濃度センサ３９から得られる室内ＣＯ2濃度が所定値より低いか否か判断する。そして、車室内温度が外気温度より高く、室内ＣＯ2濃度が所定値より低い場合は、ステップＳ１０に進み、吸込切換ダンパ２６により内気循環モードとする。
【０１０９】
ステップＳ８で内気循環モードである場合、及び、ステップＳ９で外気温度が車室内温度（内気温度）以上の場合（即ち、外気温度が車室内温度より高い場合を含む）、又は、室内ＣＯ2濃度が所定値以上の場合、ステップＳ１１に進む。ステップＳ１１ではコントローラ３２は外気温度が車室内温度より高いか否か判断し、高い場合にはステップＳ１２に進んで吸込切換ダンパ２６により外気導入モードとする。このように、車室内空気と外気のうちの温度の高い方を吸熱器９に通風するので、吸熱器９における吸熱量を増大させ、高圧圧力を上昇させて放熱器４の温度不足をより一層迅速に解消することが可能となる。
【０１１０】
（７−４）他の内外気制御との協調制御
ここで、上記吸込切換ダンパ２６の内外気制御において、外気に対する内気混入量を調整することができる場合の協調制御について図２１及び図２２を用いて説明する。図２１はその場合のコントローラ３２のフローチャートを示しており、ステップＳ１３で現在のモードが除湿冷房モードであり、且つ、放熱器温度優先モードとなったか否か判断し、なっていればステップＳ１４に進み、吸込切換ダンパ２６による内外気制御はオート（ＡＵＴＯ）が選択されている（即ち、マニュアルモードではない）か否か判断し、オートである場合には、ステップＳ１５に進んで内外気協調制御許可を出す。
【０１１１】
図２２は吸込切換ダンパ２６による内外気協調制御許可が出た場合のコントローラ３２の吸込切換ダンパ２６の制御ブロック図を示している。即ち、図２２の９８は内気混入割合基本値ＲＥＣｒａｔｉｏ０のデータテーブルであり、これは目標吹出温度ＴＡＯと外気温度Ｔａｍに基づくマップが予め設定されている。尚、この内気混入割合基本値ＲＥＣｒａｔｉｏ０は、そのときの目標吹出温度ＴＡＯと外気温度Ｔａｍに適した内気混入割合である。通常はこのデータテーブル９８に基づいて内気混入割合ＲＥＣｒａｔｉｏが決定されるが、この放熱器温度優先モードでは、コントローラ３２は目標放熱器温度ＴＣＯ（放熱器目標圧力ＰＣＯでもよい）と放熱器温度ＴＨ（放熱器圧力ＰＣＩでもよい）との差の積分値に基づいて補正を加える。
【０１１２】
即ち、目標放熱器温度ＴＣＯと放熱器温度センサ４６から得られる放熱器温度ＴＨは減算器１０１に入力され、その偏差ｅが増幅器１０２で増幅されて演算器１０３に入力される。演算器１０３では所定の積分周期と積分時間で内気混入割合補正値の積分演算が行われ、加算器１０４で前回値と加算された内気混入割合補正値の積分値が算出される。そして、リミット設定部１０６で制御上限値と制御下限値のリミットが付けられた後、内気混入割合補正値ＲＥＣｒａｔｉｏｈｔｒとして決定される。
【０１１３】
この内気混入割合補正値ＲＥＣｒａｔｉｏｈｔｒは内外気温度補正部１０７で更に補正が加えられる。この内外気温度補正部１０７にて内気混入割合補正値ＲＥＣｒａｔｉｏｈｔｒは、車室内温度が外気温度以上の場合には内気混入割合を多くする方向（＋）、逆に、外気温度が車室内温度より高い場合には内気混入割合を少なくする方向（−）の補正と定義付けられた後、加算器９９にて内気混入割合基本値ＲＥＣｒａｔｉｏ０に加算され、内気混入割合ＲＥＣｒａｔｉｏとして決定される。
【０１１４】
従って、車室内温度の方が外気温度より高い場合、ノーマルモードのときよりも、内気混入割合補正値ＲＥＣｒａｔｉｏｈｔｒの分、内気混入割合ＲＥＣｒａｔｉｏが多くされ、それにより吸熱器９における吸熱量が増大し、高圧圧力が上昇して放熱器圧力ＰＣＩが上昇し、放熱器４の温度ＴＨが上がることになる。これにより、放熱器４の温度不足をより一層迅速に解消することが可能となる。
【０１１５】
尚、上記実施例で説明した冷媒回路Ｒの構成や各数値はそれに限定されるものでは無く、本発明の趣旨を逸脱しない範囲で変更可能であることは云うまでもない。
【符号の説明】
【０１１６】
１  車両用空気調和装置
２  圧縮機
３  空気流通路
４  放熱器
６  室外膨張弁
７  室外熱交換器
８  室内膨張弁
９  吸熱器
１１  蒸発能力制御弁
１７、２１、２２、２３  電磁弁
２６  吸込切換ダンパ
２７  室内送風機（ブロワファン）
２８  エアミックスダンパ
３２  コントローラ（制御手段）
５７  電気ヒータ
Ｒ  冷媒回路
【図１】
2014094671.tif 000003
【図２】
2014094671.tif 000004
【図３】
2014094671.tif 000005
【図４】
2014094671.tif 000006
【図５】
2014094671.tif 000007
【図６】
2014094671.tif 000008
【図７】
2014094671.tif 000009
【図８】
2014094671.tif 000010
【図９】
2014094671.tif 000011
【図１０】
2014094671.tif 000012
【図１１】
2014094671.tif 000013
【図１２】
2014094671.tif 000014
【図１３】
2014094671.tif 000015
【図１４】
2014094671.tif 000016
【図１５】
2014094671.tif 000017
【図１６】
2014094671.tif 000018
【図１７】
2014094671.tif 000019
【図１８】
2014094671.tif 000020
【図１９】
2014094671.tif 000021
【図２０】
2014094671.tif 000022
【図２１】
2014094671.tif 000023
【図２２】
2014094671.tif 000024